(57)【特許請求の範囲】
【請求項１】
把手部と、この把手部に一端が固定されて上記把手部の長手に直交して延長された軸部と、この軸部の他端を屈折した状態に形成されて上記軸部の長手に直交して設けられた屈折部と、この屈折部の先端部に設けられて上記屈折部の反上記把手部側の面から突出した突出部とを備えた乗客コンベヤー用移動手摺着脱工具。
【発明の詳細な説明】
【０００１】
【発明の属する技術分野】
この発明は、主枠の手摺案内レールに案内されて移動する移動手摺の保守作業に使用される乗客コンベヤー用移動手摺着脱工具に関する。
【０００２】
【従来の技術】
図１２及び図１３は、従来の乗客コンベヤー用移動手摺着脱工具を示す図で、図１２は主枠内における移動手摺の着脱作業状況を示す乗客コンベヤーの要部横断面図、図１３は図１２の要部を拡大して示す側面図である。図において、１は乗客コンベヤーの主枠、２は手摺案内レールで、長手が主枠１の長手に沿って配置され、横断面において偏平な矩形をなす案内部３が形成されている。
【０００３】
４は一端が主枠１に締結されて他端は手摺案内レール２基部に締結された取付ボルト、５は主枠１の要部をなし手摺案内レール２の側面方向に配置された取付部材、６は取付部材５に装着されたスカートガード、７は主枠１に立設された欄干（図示しない）の基部とスカートガード６の上縁部の間に設けられたインナーデッキである。
【０００４】
８は移動手摺で、横断面Ｃ字状をなし粘弾性材によって製作されて、Ｃ字の凹所が手摺案内レール２の案内部３に移動可能に嵌合されている。９は着脱工具で、把手１０及び把手１０の一方の長手端から突出して設けられて先端が広幅に形成された挿入金具１１によって形成されている。
【０００５】
従来の乗客コンベヤー用移動手摺着脱工具は上記のように構成され、保守作業時に述べるような作業によって手摺案内レール２の案内部３から移動手摺８が離脱される。すなわち作業員によって着脱工具９が、図１３に示すように着脱工具９の把手１０を移動手摺８の長手に沿う姿勢に配置される。そして、移動手摺８のＣ字開口縁部と手摺案内レール２の案内部３端部との間に、着脱工具９の挿入金具１１の幅方向端部が圧入される。
【０００６】
次いで、作業員が着脱工具９を図１２における矢印Ａ方向に回動する。これにより、移動手摺８のＣ字開口縁部と手摺案内レール２の案内部３端部との隙間が拡大する。そして、着脱工具９をさらに回動することによって、移動手摺８のＣ字開口縁部を図１２に示す矢印Ｂ方向に変位させて、手摺案内レール２から移動手摺８が離脱される。
【０００７】
【発明が解決しようとする課題】
上記のような従来の乗客コンベヤー用移動手摺着脱工具による移動手摺８の離脱作業において、作業員が移動手摺８のＣ字開口縁部と手摺案内レール２の案内部３端部との間に挿入された着脱工具９を、図１２において矢印Ａ方向に回動する操作は力が入りにくく、作業性が悪く腕力が必要であると共に長時間の作業を要するという問題点があった。
【０００８】
また、移動手摺８のＣ字開口縁部を手摺案内レール２の案内部３端部から図１２において矢印Ｂ方向に変位する場合に、着脱工具９を回動操作するときの作業スペースを得るために、広い範囲にわたってスカートガード６、インナーデッキ７を撤去することが必要となる。したがって、移動手摺８の離脱のために余計であって煩雑な作業を伴うことになる。また、着脱工具９は移動手摺８を手摺案内レール２に装着する作業には対応できず、移動手摺８の装着作業の全てを工具を使用せずに行うことになる。
【０００９】
この発明は、かかる問題点を解消するためになされたものであり、手摺案内レールに係合された移動手摺の保守作業時に、移動手摺を容易に着脱できる乗客コンベヤー用移動手摺着脱工具を得ることを目的とする。
【００１０】
【課題を解決するための手段】
この発明に係る乗客コンベヤー用移動手摺着脱工具においては、把手部と、この把手部に一端が固定されて把手部の長手に直交して延長された軸部と、この軸部の他端を屈折した状態に形成されて軸部の長手に直交して設けられた屈折部と、この屈折部の先端部に設けられて屈折部の反把手部側の面から突出した突出部とが設けられる。
【００１１】
【発明の実施の形態】
実施の形態１．
図１〜図１０は、この発明の実施の形態の一例を示す図で、図１は正面図、図２は図１の側面図、図３は乗客コンベヤーの主枠内の要部横断面図、図４は図３における移動手摺の離脱作業の第一工程を示す図、図５は図３における移動手摺の離脱作業の第二工程を示す図である。
【００１２】
また、図６は図３における移動手摺の離脱作業の第三工程を示す図、図７は図３における移動手摺の装着作業の第一工程を示す図、図８は図３における移動手摺の装着作業の第二工程を示す図、図９は図３における移動手摺の装着作業の第三工程を示す図、図１０は図３における移動手摺の装着作業の第四工程を示す図である。
【００１３】
なお図１〜図１０の他は、主枠１に手摺案内レール２が設けられて移動手摺８が配置されてなる前述の図１２と同様に乗客コンベヤーが構成されている。図において、２は手摺案内レールであり、長手が前述の主枠１の長手に沿って配置され、横断面において偏平な矩形をなす案内部３が形成されている。１２は案内部３の幅方向の端部である。８は移動手摺で、横断面Ｃ字状をなし粘弾性材によって製作されて、Ｃ字の凹所が手摺案内レール２の案内部３に移動可能に嵌合されている。
【００１４】
１３は移動手摺８におけるＣ字の開口部縁部である。１４は着脱工具であり、把手部１５、把手部１５に一端が固定されて把手部１５の長手に直交して延長された軸部１６、軸部１６の他端を屈折した状態に形成されて軸部１６の長手に直交して設けられた屈折部１７、屈折部１７の先端部に設けられた球状部１８及び球状部１８の図１における下部によって形成されて屈折部１７の反把手部１５側の面から突出した突出部１９とが設けられる。
【００１５】
上記のように構成された乗客コンベヤー用移動手摺着脱工具によって、保守作業時に述べるようにして手摺案内レール２の案内部３に対して移動手摺８が着脱される。すなわち、手摺案内レール２の案内部３から移動手摺８を離脱する場合には、先ず作業員によって着脱工具１４の屈折部１７及び球状部１８すなわち先端が図４に示すように、手摺案内レール２の基部と移動手摺８の一側の開口部縁部１３との間に挿入される。
【００１６】
次いで、図４に示す状態において図４に示す矢印Ｃ方向に着脱工具１４の把手部１５が９０°回動される。これにより、着脱工具１４の屈折部１７及び球状部１８が、手摺案内レール２の案内部３の一側の端部１２と移動手摺８の一側の開口部縁部１３内との間に挿入されて図５に示す状態となる。そして、図５に示す状態において図５に示す矢印Ｄ方向に着脱工具１４が回動される。
【００１７】
これによって、着脱工具１４の突出部１９が対向した手摺案内レール２の端部１２に掛合し、この状態において図６に示すように着脱工具１４の屈折部１７が対向した移動手摺８の開口部縁部１３を押し広げる。次いで、図６に示す状態から着脱工具１４をさらに図６に示す矢印Ｅ方向に回動する。
【００１８】
これにより、着脱工具１４の屈折部１７に対向した移動手摺８の開口部縁部１３が対応した手摺案内レール２の端部１２から図６に示す矢印Ｂ方向に外れる。そして、移動手摺８の他側の開口部縁部１３と、この開口部縁部１３に対応した手摺案内レール２の端部１２との掛合が解除され、手摺案内レール２から移動手摺８を離脱する作業が終了する。
【００１９】
また、移動手摺８を手摺案内レール２の案内部３に装着する場合には、次に述べる作業が行われる。すなわち、先ず図７に示すように作業員によって移動手摺８の一側の開口部縁部１３内側が対向した手摺案内レール２の端部１２に嵌合される。次いで、着脱工具１４の球状部１８、すなわち先端が図７に示すように、移動手摺８の他側の開口部縁部１３内側に嵌合される。
【００２０】
そして図７に示す状態において、着脱工具１４が図７に示す矢印Ｆ方向に引っ張られる。これにより、着脱工具１４の屈折部１７が対応した移動手摺８の開口部縁部１３に支持された図８に示す状態に着脱工具１４が配置され、また着脱工具１４の突出部１７が対応した手摺案内レール２の端部１２に掛合する。
【００２１】
次いで、図８に示す状態において、着脱工具１４が図８に示す矢印Ｇ方向に回動されると、図９に示すように着脱工具１４の屈折部１７及び球状部１８が、手摺案内レール２の基部の一側の端部１２と移動手摺８の一側の開口部縁部１３内との間に挿入された状態となる。
【００２２】
そして、図９に示す状態から着脱工具１４が図９に示す矢印Ｈ方向に９０°回動される。これによって、着脱工具１４の屈折部１７及び球状部１８すなわち先端が図１０に示すように、手摺案内レール２の基部と移動手摺８の一側の開口部縁部１３との間に配置される。次いで、図１０に示す状態から図１０に示す矢印Ｉ方向に着脱工具１４が引き抜かれて、移動手摺８の装着作業が終了する。
【００２３】
以上説明したように、移動手摺の保守作業時に一つの着脱工具１４を使用して手摺案内レール２に対する移動手摺８の着脱作業を、少ない作業用スペースにより、また熟練を要することもなく少ない労力によって容易に実施することができる。これによって、作業時間を短縮することができて乗客コンベヤーの保守費用を節減することができる。
【００２４】
また、移動手摺８の着脱作業を少ない作業用スペースによって実施でき、前述のインナーデッキ７等の撤去が最小限で済み、このインナーデッキ７等の撤去、復帰等の移動手摺８の着脱のための付随作業が減少し、移動手摺８の着脱作業能率を向上することができる。
【００２５】
実施の形態２．
図１１は、この発明の他の実施の形態の一例を示す正面図である。なお、図１１の他は前述の図１〜図１０と同様に乗客コンベヤーが構成されている。図において、図１〜図１０と同符号は相当部分を示し、２０は着脱工具で、屈折部１７の先端部２１の図１１における下側に形成されて屈折部１７の反把手部１５側の面から突出した突出部１９が設けられる。
【００２６】
上記のように構成された着脱工具２０を使用して、前述の図１〜図１０の実施の形態と同様に移動手摺８の着脱作業が行われる。すなわち、着脱工具２０の屈折部１７、先端部２１及び突出部１９を利用して前述の着脱工具１４を使用した移動手摺８の着脱作業と同様に着脱作業を行うことができる。したがって、詳細な説明を省略するが図１１の実施の形態においても図１〜図１０の実施の形態と同様な作用が得られる。
【００２７】
【発明の効果】
この発明は以上説明したように、着脱工具を、把手部、この把手部に一端が固定されて把手部の長手に直交して延長された軸部、この軸部の他端を屈折した状態に形成されて軸部の長手に直交して設けられた屈折部及びこの屈折部の先端部に設けられて屈折部の反把手部側の面から突出した突出部によって構成したものである。
【００２８】
これによって、移動手摺の保守作業時に一つの着脱工具を使用し、着脱工具の屈折部、先端部及び突出部を利用して手摺案内レールと移動手摺の間への着脱工具の挿入、移動手摺の拡幅、手摺案内レール縁部に対する移動手摺の嵌合及び脱離等の手摺案内レールに対する移動手摺の着脱作業を、少ない作業用スペースにより、また熟練を要することもなく少ない労力によって容易に行うことができる。したがって、作業時間を短縮することができて乗客コンベヤーの保守費用を節減する効果があるる。また、移動手摺の着脱作業を少ない作業用スペースによって実施でき、乗客コンベヤーの主枠に設けられたインナーデッキ等の撤去が最小限で済み、着脱作業のための付随作業が減少して移動手摺の着脱作業能率を向上する効果がある。
【図面の簡単な説明】
【図１】  この発明の実施の形態１を示す正面図。
【図２】  図１の側面図。
【図３】  乗客コンベヤーの主枠内の要部横断面図。
【図４】  図３における移動手摺の離脱作業の第一工程を示す図。
【図５】  図３における移動手摺の離脱作業の第二工程を示す図。
【図６】  図３における移動手摺の離脱作業の第三工程を示す図。
【図７】  図３における移動手摺の装着作業の第一工程を示す図。
【図８】  図３における移動手摺の装着作業の第二工程を示す図。
【図９】  図３における移動手摺の装着作業の第三工程を示す図。
【図１０】  図３における移動手摺の装着作業の第四工程を示す図。
【図１１】  この発明の実施の形態２を示す正面図。
【図１２】  従来の乗客コンベヤー用移動手摺着脱工具を示す図で、主枠内における移動手摺の着脱作業状況を示す乗客コンベヤーの要部横断面図。
【図１３】  図１２の要部を拡大して示す側面図。
【符号の説明】
１４  着脱工具、    １５  把手部、    １６  軸部、    １７  屈折部、
１９  突出部、    ２０  着脱工具、    ２１  先端部。
【図１】
0003917849.tif 000002
【図２】
0003917849.tif 000003
【図３】
0003917849.tif 000004
【図４】
0003917849.tif 000005
【図５】
0003917849.tif 000006
【図６】
0003917849.tif 000007
【図７】
0003917849.tif 000008
【図８】
0003917849.tif 000009
【図９】
0003917849.tif 000010
【図１０】
0003917849.tif 000011
【図１１】
0003917849.tif 000012
【図１２】
0003917849.tif 000013
【図１３】
0003917849.tif 000014